(57)【特許請求の範囲】
【請求項１】
加圧されたまたは減圧された流体の分配システムのための配管（５００）の連結システム（１）であって、前記配管（５００）が、長手方向に延び、内部に流体の通過のための穴（５１０）を有する剛性バー（５０１）の少なくとも一セクションと、その外側表面（５０５）上に、蟻継ぎ型の、外方向に開く複数の溝（５２０）とを有し、連結システム（１）は：
−連結継手（１０）であって、これを封止するために前記穴（５１０）内に挿入可能である挿入部分（１１）と、前記継手（１０）が中に挿入されたとき、前記配管（５００）から突出する保持部分（１２）とを備える、連結継手（１０）と、
−前記連結継手（１０）を前記配管（５００）に対して長手方向に保持するのに適した保持手段（２０）であって、前記保持手段（２０）が、
ｉ）前記保持部分（１２）と係合して前記継手１０を長手方向に拘束するのに適した保持要素（３０）と、
ｉｉ）少なくとも１つの溝（５２０）および前記保持要素３０と連動して動作するのに適し、クランプ力を及ぼして前記保持要素（３０）を前記配管（５００）に対してブロックするのに適したクランプ手段（４０）とを備える、保持手段（２０）とを備え、
前記保持要素（３０）が、少なくとも１つのブラケット（３００）であって、前記保持部分（１２）に係合するのに適した保持ブレード（３１０）と、２つのクランプブランチ（３２０）であって、前記保持ブレード（３１０）の側部まで横方向に、これに対して垂直に延び、前記保持要素（３０）、したがって前記継手（１０）を前記配管５００に対してブロックするために前記クランプ手段（４０）と係合するのに適した、クランプブランチ（３２０）とを有する、少なくとも１つのブラケット（３００）を備え、
前記クランプブランチ（３２０）が、前記それぞれのクランプブランチ（３２０）から延びる少なくとも１つのブロッキング部分（３２１）を備え、前記クランプ手段（４０）と係合することで、前記ブラケット（３００）の長手方向の並進が防止される、連結システム（１）。
【請求項２】
前記剛性バー（５０１）が、四角形の形状であり、前記外側表面（５０５）上では、そのコーナに、４つの溝（５２０）が径方向に作製され、２つのリム（５２１）によって横方向に境界が定められ、
前記クランプ手段（４０）は、前記クランプ力を２つの連続する溝（５２０）の前記リム（５２１）にかけ、
前記クランプ手段（４０）は、前記それぞれの溝（５２０）の内側に置かれて前記それぞれのリム（５２１）と係合するのに適した第１の歯（４１１）および第２の歯（４１２）をそれぞれ有する、上側クランプ（４１）および下側クランプ（４２）を備える、請求項１に記載の連結システム（１）。
【請求項３】
前記クランプ手段（４０）が、前記配管（５００）の両側に配置された上側クランプ（４１）および下側クランプ（４２）を備える２つの対のクランプ（４００）を備える、請求項２に記載の連結システム（１）。
【請求項４】
前記クランプ手段（４０）が、少なくとも１つのクランプねじ（４５）であって、その回転後、前記上側クランプ（４１）および前記下側クランプ（４２）を前記それぞれの溝（５２０）上にクランプし、これらを前記ねじ（４５）の延長方向に沿って相互に互いに結び付けるのに適した、前記クランプねじ（４５）を備える、請求項２または３に記載の連結システム（１）。
【請求項５】
前記保持部分（１２）が、外方向に、少なくとも１つの保持スロット（１２１）を有し、
前記保持要素（３０）が、これ自体を中に挿入して、前記保持スロット（１２１）と係合するのに適した、請求項１から４のいずれか一項に記載の連結システム（１）。
【請求項６】
前記保持スロット（１２１）が、前記連結継手（１０）の周囲を連続的に延びる、請求項５に記載の連結システム（１）。
【請求項７】
前記保持スロット（１２１）が、円形であり、
前記保持ブレード（３１０）が、弓型である、請求項６に記載の連結システム（１）。
【請求項８】
前記上側クランプ（４１）および／または前記下側クランプ（４２）が、前記クランプブランチ（３２０）を収容するのに適したチャネリング（４１０、４２０）を有する、請求項２から４のいずれか一項に記載の連結システム（１）。
【請求項９】
前記ブロッキング部分（３２１）が、前記クランプブランチ（３２０）の端部にあり、たとえば、前記それぞれのクランプ（４１、４２）から長手方向に突出する、請求項１から８のいずれか一項に記載の連結システム（１）。
【請求項１０】
前記ブロッキング部分（３２１）が、前記保持ブレード（３００）から所定の距離を離して作製され、前記ブロッキング部分（３２１）を収容するのに適したブロッキング空洞を有するチャネリング（４１０、４２０）の内側で前記それぞれのクランプ（４１、４２）と連動して動作する、請求項１から８のいずれか一項に記載の連結システム（１）。
【請求項１１】
前記ブロッキング部分（３２１）が、前記保持ブレード（３００）から所定の距離を離して作製され、前記ブロッキング部分（３２１）を収容するのに適したブロッキングハウジング（４１５）を有する前記チャネリング（４１０、４２０）の内側で前記それぞれのクランプ（４１、４２）と連動して動作する、請求項１から８のいずれか一項に記載の連結システム（１）。
【請求項１２】
前記保持要素（３０）が、互いに向かい合って配置され、前記クランプ手段（４０）を用いることによって前記継手（１０）上にクランプされる２つのブラケット（３００）を備える、請求項１から１１のいずれか一項に記載の連結システム（１）。
【請求項１３】
前記保持要素（３０）が、前記上側クランプ（４１）および／または前記下側クランプ（４２）と共に一体部片として作製される、請求項２または３に記載の連結システム（１）。
【請求項１４】
前記保持要素（３０）が、前記上側クランプ（４１）および／または前記下側クランプ（４２）と共に一体部片として作製され、２つの向かい合った上側クランプ（４１）および／または２つの向かい合った下側クランプ（４２）をそれぞれ接合する、請求項３に記載の連結システム（１）。
【発明の詳細な説明】
【技術分野】
【０００１】
本発明は、加圧されたまたは減圧された流体の分配システムの一部である、配管の連結システムに関する。
【背景技術】
【０００２】
詳細には、本発明の連結システムは、配管を、たとえば同じ直径または異なる直径の別の配管または弁、もしくは作動するために加圧されたまたは減圧された流体を必要とする構成要素または機械に連結するのに適している。
【０００３】
さらに、そのような配管は、剛性バーの少なくとも一セクションを備え、またはこれは、全体的に剛性バーからなり、その外側表面上に、前記バーに沿って延びる複数の溝を備える。
【０００４】
そのような連結システムは、たとえばこれらが形状において変更され、配管から引っ張り出すことを防止し、いかなるタイプの漏出も防止することによって、その中を流れる加圧されたまたは減圧された流体の作用を受けないようにする必要がある。したがって、前記連結システムは、それぞれの配管を封止式に係合することに加えて、特に抵抗性のものでなければならず、最終的には、配管内のそれらの位置を完全に保持しなければならない。
【０００５】
このタイプの問題を解決するように適合された連結システムが、従来技術において知られている。詳細には、たとえば本出願人の名の下の特許文献１に参照がなされる。
【０００６】
しかし、知られている連結システムは、いくつかの欠点を有する。
【０００７】
しばしば、そのようなシステムは、特に複雑であり、通常、少なくとも配管と同じ形状の一部分を有する継手要素を備え、また相互のブロッキングを得るために配管上におよび継手の前記部分上にクランプ力をかける適切な手段も有している。実際、少なくとも一部分内に、配管の形状を再度作り出すことを目的とした継手の設計および製造、ならびに前記配管に対するブロッキングは、特に複雑で面倒なものである。
【先行技術文献】
【特許文献】
【０００８】
【特許文献１】欧州特許第０９１９７５８号明細書
【発明の概要】
【発明が解決しようとする課題】
【０００９】
したがって、本発明の目的は、より簡単な構造および実施を有する連結システムを提供することによって上記の必要性を満たすことである。
【課題を解決するための手段】
【００１０】
この目的は、請求項１に記載の連結システムによって達成される。従属請求項は、別の有利な態様を伴う好ましい実施形態の変形形態を説明する。
【００１１】
本発明の目的は、添付の図を用いて、これ以後詳細に説明される。
【図面の簡単な説明】
【００１２】
【図１】好ましい実施形態による、配管の剛性バー部分の一セクション上に装着された、前記配管の連結システムの斜視図である。
【図２】図１の配管の連結システムの分解図である。
【図３】図１および図２の連結システムの斜視図である。
【図４】図１の連結システムの長手方向断面図である。
【図５】図３の連結システムの後面図である。
【図６】別の実施形態による、配管の剛性バー部分の一セクション上に装着された、前記配管の連結システムの一部の斜視図である。
【発明を実施するための形態】
【００１３】
上記の図を参照して、参照番号１は、全体として、加圧されたまたは減圧された流体の分配システムのための配管５００の連結システムを示す。
【００１４】
好ましくは、前記配管５００は、長手方向に延び、内部に流体の通過のための穴５１０を有する、剛性バー５０１の少なくとも一セクションを備える。別の好ましい実施形態では、配管５００は、全体的に、好ましい実施方向に、たとえば直線状であるが曲線を描くやり方で延びる剛性バー５０１によって形成される。
【００１５】
好ましくは、流体の通過のための穴５１０は、円形であり、穴５１０は、好ましくは配管５００の中央に位置する。
【００１６】
好ましくは、剛性バー５０１は、その外側表面５０５上に、蟻継ぎ型の外方向に開く複数の溝５２０を含む。好ましくは、前記溝は、配管５００の延長部全体に沿って延びる。
【００１７】
好ましい実施形態によれば、剛性バー５０１は、四角形の形状を有し、外側表面５０５上では、そのコーナに、４つの溝５２０が径方向に形成され、２つの縁５２１によって横方向に境界付けられる。
【００１８】
好ましくは、外部的には、前記配管５００は正方形であり、したがって４つの等しい側部を有する。
【００１９】
他の実施形態の変形形態では、前記配管５００は、矩形であり、本質的には、上下に２つの正方形配管を有する。好ましくは、２つの長い側部の中央線上に、外部的に、前記配管５００は、これもまた溝５２０を有する。
【００２０】
好ましい実施形態によれば、連結システム１は、これを封止するために穴５１０内に挿入可能な挿入部分１１と、継手１０が中に挿入されたときに配管５００から突出する保持部分１２であって、以下でさらに説明されるように、継手１０を配管５０１に対しておよびその中に保持するための適切な構成要素と係合するように適合された、保持部分１２とを備える連結継手１０を備える。
【００２１】
好ましい実施形態によれば、挿入部分１１は、前記封止された連結を実行するために、穴５１０の内側表面と係合するように適合された、挿入部分１１上の外部に位置する１つまたは複数のＯリング１１１を備える。
【００２２】
好ましくは、連結継手１０は、圧縮された空気の通過のための配管５００、弁、たとえば同じ直径または異なる直径および形状を有する別の配管との連結を作り出すように適合され、詳細には、継手１０は、保持部分１２の後に、これもまた配管５００の外側に配置され、前述の目的に合わせ、上記の相互作用を実行するように適合されたフック部分１５を備える。一部の実施形態では、フック部分１５は、たとえば外部的にまたは内部的にねじ切りされた表面１５１を有する。
【００２３】
別の実施形態では、たとえば２つの同一の配管５００の連結のために、継手１０は、フック部分１５を有さず、第２の配管５００との係合に特有の別の保持部分１２および別の挿入部分１１を有する。
【００２４】
好ましい実施形態によれば、保持部分１２は、外方向に少なくとも１つの保持スロット１２１を有する。
【００２５】
好ましくは、前記保持スロット１２１は、連結継手１０の周囲を連続的に延びる。
【００２６】
好ましくは、前記保持スロット１２１は、連結継手１０の周りを円形に延びる。
【００２７】
好ましくは、連結システム１は、さらに、加圧されたまたは減圧された流体の力が、継手１０を長手方向に移動させないようにして、連結継手１０を配管５００に対して長手方向に保持するように適合された保持手段２０を含む。
【００２８】
好ましい実施形態によれば、保持手段２０は：
ｉ）保持部分１２と係合して継手１０を長手方向に拘束するのに適した保持要素３０と、
ｉｉ）少なくとも１つの溝５２０および保持要素３０と連動して動作するのに適し、クランプ力を及ぼして保持要素３０を配管５００に対してブロックするのに適したクランプ手段４０とを備える。
【００２９】
換言すれば、保持要素３０は、保持部分１２上に存在する前記保持スロット１２１の中に挿入して係合するのに適しており、クランプ手段４０によって、前記保持手段３０は、継手１０をブロックするために配管５００に固定されて保たれる。
【００３０】
好ましい実施形態によれば、クランプ手段４０は、前記クランプ力を２つの連続する溝５２０のリム５２１上にかけ、クランプ手段４０は、それぞれの溝５２０の内側に置かれてそれぞれのリム５２１と係合するように適合された、第１の歯４１１および第２の歯４１２をそれぞれ有する上側クランプ４１および下側クランプ４２を備える。
【００３１】
したがって、実質的には、クランプ手段４０は、２つの連続する溝５２０上で作動することによって配管５００上にクランプされるように適合される。
【００３２】
好ましい実施形態によれば、クランプ手段４０は、２つの対のクランプ４００を備え、その各々は、配管５００の両側に配置された上側クランプ４１および下側クランプ４２を備える。
【００３３】
好ましくは、クランプ手段４０は、少なくとも１つのクランプねじ４５であって、その回転後、上側クランプ４１および下側クランプ４２をそれぞれの溝５２０上にクランプし、これらを前記ねじ４５の延長方向に沿って互いに相互に結び付けるのに適した、少なくとも１つのクランプねじ４５を備える。好ましくは、クランプねじ４５の数は、クランプの長さに沿って変動する。換言すれば、クランプ４００のそれぞれの対の延長方向、したがって配管５００の方向に沿って離間されて配置された複数のクランプねじ４５を設ける実施形態が、存在する。
【００３４】
好ましい実施形態によれば、保持要素３０は、少なくとも１つのブラケット３００であって、保持部分１２、好ましくは保持スロット１２１内に係合するのに適した保持ブレード３１０と、２つのクランプブランチ３２０であって、保持ブレード３１０の側部まで横方向に、これに対して垂直に延び、保持要素３０、したがって継手１０を配管５００に対してブロックするためにクランプ手段４０と係合するのに適した、クランプブランチ３２０とを有する、少なくとも１つのブラケット３００を備える。
【００３５】
換言すれば、ブラケット３００は、基本的には、配管５００に沿ってその両側を延びる２つのブランチ３２０と、これらを接合する保持ブレード３１０とを有する「Ｕ字」または「Ｃ字」の形状を有する。
【００３６】
好ましくは、保持ブレード３１０は、幾何学形状連結器によって保持溝１２１内に収容されるようにして、保持溝１２１の形状にしたがって成形される。好ましくは、実際、ブレード３１０は、保持溝１２１内に、そのリムと相互作用するよう収容されるように適合され、こうして連結継手１０の長手方向保持を得る。
【００３７】
好ましい実施形態では、保持スロット１２１は、円形であり、保持ブレード３１０は弓形である。
【００３８】
好ましい実施形態によれば、前記上側クランプ４１および／または前記下側クランプ４２は、クランプブランチ３２０を収容するように適合されたチャネリング４１０、４２０を有する。したがって、好ましくは、チャネリング４１０および４２０の壁は、クランプ手段４０が配管５００上にクランプされたとき、クランプブランチ３２０またはそれぞれのクランプブランチ３２０と係合し、その上のクランプ力を緩和するように適合される。
【００３９】
好ましい実施形態によれば、さらに、クランプブランチ３２０は、それぞれのクランプブランチ３２０から延びる少なくとも１つのブロッキング部分３２１を備え、クランプ手段４０と係合することで、ブラケット３００の長手方向の並進が防止される。
【００４０】
一部の実施形態では、クランプブランチ３２０は、たとえば歯、または隆起、または反り、またはタブ、または全体的な突出部の形状の、クランプ手段４０と係合してブラケット３００の長手方向並進に対するさらなる妨害を作り出す、ブロッキング部分３２１を含む。
【００４１】
好ましくは、ブロッキング部分３２１は、ブロッキングブランチ３２０の端部において置かれ、たとえば、（図１から５の実施形態に示されるように）それぞれのクランプ４１、４２から長手方向に突出し、または通常、これは、クランプ手段４０から突出する。
【００４２】
別の実施形態によれば、その代わり、ブロッキング部分３２１は、保持ブレード３００から所定の距離を離して作製され、前記ブロッキング部分３２１を収容するのに適したブロッキング空洞を有するチャネリング４１０、４２０の内側でそれぞれのクランプ４１、４２と連動して動作する。好ましくは、前記ブッキング空洞は、チャネリング４１０、４２０上に形成される。換言すれば、前記実施形態では、クランプブランチ３２０、特にクランピング部分３２１は、クランプされると、クランプ手段４０から突出せず、その中に留まる。
【００４３】
別の実施形態では、ブロッキング部分３２１は、保持ブレード３００から所定の距離を離して、クランプブランチ３２０の特別な成形によって形成され、チャネリング４１０、４２０の内側でそれぞれのクランプ４１、４２と共働し、チャネリング４１０、４２０は、前記ブロッキング部分３２１を収容するのに適したブロッキングハウジング４１５を有する（詳細には、図６の実施形態に留意されたい）。特に前記実施形態では、クランプブランチ３２０は、特有の形状を有し、一方でブロッキングハウジング４１５は、相補的な外形を有するブランチ３２０の前記成形された部分を収容するのに適している。
【００４４】
好ましい実施形態では、さらに、ブラケット３００、特に保持ブレード３２０は、長手方向の力にかけられたとき、曲がらないまたは回転しないようにして、ブラケット３００を強化するのに適した強化部分３５０を含む。
【００４５】
換言すれば、前記強化部分３５０は、保持ブレード３１０から特定の距離で垂直に、たとえば配管５００の側部表面５０５に沿って延びる。したがって、一部の実施形態では、ブラケット３００にかけられた力の作用の結果、保持ブレード３１０は、配管５００の外側表面５０５上に任意選択で載置する強化部分３５０の存在によって適所に留まる。
【００４６】
好ましい実施形態によれば、保持要素３０は、互いに向かい合って配置され、クランプ手段４０を用いることによって継手１０上にクランプされた２つのブラケット３００を備える。したがって、クランプ手段４０によってクランプされた、２つのブラケット３００は、たとえばこれを３６０°で係合することによって連結継手１０の周りにクランプするように適合される。
【００４７】
保持要素３０が、保持手段４０と共に一体部片として形成される連結システム１の実施形態もまた、提供される。
【００４８】
換言すれば、特別な保持要素４０は、上側クランプ４１および／または下側クランプ４２と共に一体部片として作製され、連結継手１０と係合する、具体的には保持部分１２と係合する、たとえばそれぞれの保持スロット１２１内に挿入するのに適している。
【００４９】
別の実施形態では、たとえば、保持要素３０は、上側クランプ４１および／または下側クランプ４２と共に一体部片として作製され、２つの向かい合った上側クランプ４１および／または２つの向かい合った下側クランプ４２をそれぞれ接合する。
【００５０】
たとえば、２つの上側クランプ４１、同様に２つの下側クランプ４２は、一体部片として、保持要素３０によって互いに接合される。換言すれば、配管５００の両側の２つのクランプが、たとえば保持ブレード３００に類似する一部分によって接合される。
【００５１】
革新的なことに、本発明の連結システムの目的は、従来技術の問題を解決して、本適用分野の必要性を満たし続けるように適合される。
【００５２】
有利には、実際、本発明の連結システムの目的は、従来技術の代表的なものより簡単な構造を有する。
【００５３】
さらに、有利には、連結システムは、従来技術の代表的なものより簡単な外形形状を有する連結継手を備え、この外形形状は、実際、これが共働する配管と同じ形状を有するそれの少なくとも一部分を有する必要はない。有利には、本発明の連結システムは、特に連結継手に焦点をあてた、さまざまな構成要素の設計および製造の簡便性を増大させる。
【００５４】
別の有利な態様によれば、連結継手の長手方向の移動は、前記継手と共働する適切な保持要素によって得られ、前記保持要素のみが、直接的に配管に固定されて、特有の構成要素上に関係する相対力を分配する。
【００５５】
さらに別の有利な態様によれば、保持手段は、連結継手の実施形態に関わらず同じ形状を保持し、この連結継手は、たとえば、異なる直径の２つの配管の間、または弁と共に実行される連結のタイプによって変化する。
【００５６】
有利には、配管の内側に封止を実行する必要がある構成要素、長手方向保持を実施するもの、およびクランピングを実行するものは、互いから分離され、したがって設計の視点からみて、前記３つの構成要素の各々は、特有の必要性にしたがって設計可能であり、他方とは別個に改良される。
【００５７】
当業者は、特有の必要性を満たすために、いくつかの変更または本発明の連結システム目的の実施形態と等価の他の機能のものとの要素の取り換えを行うことができる。また、そのような変形形態は、特許請求の範囲によって規定された保護の範囲内に含まれる。
【００５８】
さらに、可能性のある実施形態に属するとして説明された各々の変形形態は、説明された他の変形形態とは独立的に実施可能である。
【図１】
0006465881.tif 000002
【図２】
0006465881.tif 000003
【図３】
0006465881.tif 000004
【図４】
0006465881.tif 000005
【図５】
0006465881.tif 000006
【図６】
0006465881.tif 000007